(57)【要約】【課題】施工時の作業性に優れ、リフォーム時等は目地材の除去を容易に行なえ、かつ、浴槽と壁面との隙間の防水性のよい浴槽目地の施工構造を提供する。【解決手段】目地材１と、浴室壁面Ｗに固定された浴槽バックハンガー２とからなる施工構造であって、上記目地材１は、浴槽３のフランジ部３１と上記浴室壁面Ｗとに密着する覆蓋部１１と、この覆蓋部１１裏面に突設された鍔状係合部１２とからなり、上記浴槽バックハンガー２の上部には、その長手方向に沿って上記鍔状係合部１２と嵌合する嵌合溝部２２が設けられ、上記浴槽バックハンガー２の略中央部には、その長手方向に沿って上記浴槽フランジ部３１の先端垂下部３２を係止する係止部２１が突設される。【選択図】図１
2004201748.tif 000002
【特許請求の範囲】
【請求項１】
浴槽と浴室壁面との隙間を塞ぐ目地において、目地材と、浴室壁面に固定された浴槽バックハンガーとからなる施工構造であって、上記目地材は、浴槽のフランジ部と上記浴室壁面とに密着する覆蓋部と、この覆蓋部裏面に突設された鍔状係合部とからなり、上記浴槽バックハンガーの上部には、その長手方向に沿って上記鍔状係合部と嵌合する嵌合溝部が設けられ、上記浴槽バックハンガーの略中央部には、その長手方向に沿って上記浴槽フランジ部の先端垂下部を係止する係止部が突設されたことを特徴とする浴槽目地の施工構造。
【請求項２】
上記嵌合溝部の下方にパッキン溝が設けられた請求項１に記載の浴槽目地の施工構造。
【請求項３】
上記浴槽バックハンガーが合成樹脂の押出し成形品である請求項１に記載の浴槽目地の施工構造。
【請求項４】
上記目地材が弾性材料からなる請求項１に記載の浴槽目地の施工構造。
【請求項５】
上記目地材の覆蓋部がさらに浴槽フランジ部周縁と浴室壁面とに粘着手段により粘着される請求項１に記載の浴槽目地の施工構造。
【発明の詳細な説明】
【０００１】
【発明の属する技術分野】
本発明は、浴槽と浴室壁面との間の隙間を埋める目地に関する。さらに詳しくは、浴槽のフランジ部の先端垂下部と、浴室壁面との隙間を埋める浴槽目地の施工構造に関する。
【０００２】
【従来の技術】
従来、浴室内に設けられる浴槽の設置構造において、浴槽と浴室壁面との隙間に湯水が浸入しないように、コーキング材等を充填して隙間を塞ぐようにされていた。しかし、湿式のコーキング材の充填は、熟練を要し、また、浴室のリフォーム等を行なう際には、古いコーキング材を除去しなければならず手間がかかるため、コーキング材に代えて、予め成形された目地材が提案されている（例えば、特許文献１、特許文献２参照。）。
【０００３】
【特許文献１】
特開２００２−１９１５２４号公報（第１−４頁、第２図）
【特許文献２】
特開２００１−３４９号公報（第１−３頁、第２図）
【０００４】
【発明が解決しようとする課題】
本願図４は、上記公知の目地材の一例を、浴槽３のフランジ部３１の先端垂下部３２と側室壁面Ｗとの隙間に施工した状態を示す側断面図である。図４によく示されているように、浴槽３のフランジ部３１の先端に垂設された垂下部３２は、壁面Ｗに固定された挟持金具６よって係止されている。このようにして係止された垂下部３２と壁面Ｗとの隙間には、目地材７が挿入されている。目地材７は、隙間を塞ぐ上面覆蓋部７１と、その下部に垂設される挿入部７２とからなり、挿入部７２の下端には舌片状係合部７３が突設されている。この舌片状係合部７３は、挿入後の目地材７が抜けないように上記フランジ部の先端垂下部３２と係合している。
【０００５】
上記のように構成された公知の目地材７は、その下端に肉厚の舌片状係合部７３を有しているため、上記垂下部３２と壁面Ｗとの隙間に挿入することが困難であり、施工時の作業性が必ずしもよいとはいえない。また、浴室のリフォーム等を行なう場合、上記舌片状係合部７３が引っ掛かかるため該目地材７が簡単には抜けず、該目地材を取外すことが非常に困難であるという問題がある。本発明はこのような問題を解決するためになされたものであり、目地施工時の作業性に優れるとともに、浴室のリフォーム等を行なう場合は目地材の除去を簡単に行なえ、かつ、浴槽と壁面との隙間の防水を良好に行なうことのできる浴槽目地の施工構造を提供することをその課題とする。
【０００６】
【課題を解決するための手段】
本発明は、上記課題を解決するために考え出されたものであって、つぎのような技術的手段を講じている。すなわち、本発明によれば、浴槽と浴室壁面との隙間を塞ぐ目地において、目地材と、浴室壁面に固定された浴槽バックハンガーとからなる施工構造であって、上記目地材は、浴槽のフランジ部と上記浴室壁面とに密着する覆蓋部と、この覆蓋部裏面に突設された鍔状係合部とからなり、上記浴槽バックハンガーの上部には、その長手方向に沿って上記鍔状係合部と嵌合する嵌合溝部が設けられ、上記浴槽バックハンガーの略中央部には、その長手方向に沿って上記浴槽フランジ部の先端垂下部を係止する係止部が突設されたことを特徴とする浴槽目地の施工構造を提供することができる。このようにすることにより、目地材の裏面に突設された鍔状係合部を浴槽バックハンガーの上部の長手方向に沿って延設された嵌合溝部に嵌入し、スライドさせることにより、目地材の施工を簡単に行なうことができる。
【０００７】
上記嵌合溝部の下方にパッキン溝が設けられることが好ましい。このパッキン溝に、例えば、ゴム系紐状パッキンを充填することにより、上記目地材による止水が不完全であっても、ゴム系紐状パッキンによってシール効果が発揮され、浴槽の周囲と浴室壁面との隙間の漏水を防ぐ。
【０００８】
上記浴槽バックハンガーが合成樹脂の押出し成形品とすることが好ましい。例えば、合成樹脂としてポリ塩化ビニルを用いれば、その押出し成形品は弾性変形するため、嵌合溝部に嵌合した目地材を除去するために力を加えれば、容易に開口し、簡単に目地材を外すことができる。
【０００９】
上記目地材が弾性材料からなることが好ましい。例えば、目地材を弾性プラスチック材料、ゴム、エラストマー等で構成することにより、目地材の覆蓋部が浴槽フランジ部と浴室壁面に密着し、優れた止水効果を得ることができる。
【００１０】
上記目地材の覆蓋部がさらに浴槽フランジ部周縁と浴室壁面とに粘着手段により粘着されることが好ましい。例えば、粘着手段として両面粘着テープを用い、上記覆蓋部と浴槽フランジ部周縁、および上記覆蓋部と浴室壁面とを粘着すれば、さらに優れた止水効果を得ることができる。
【００１１】
【発明の実施の形態】
以下、本発明の好ましい実施の形態について、図面を参照して、さらに詳細に説明する。図１は、本発明にかかる浴槽目地の施工構造を示す側断面図である。図２は、その要部を示す側断面図である。図１において、浴室壁面ＷにビスＢで固定された塩化ビニル樹脂成形品の浴槽バックハンガー２の略中央部には浴槽３のフランジ部３１の先端垂下部３２を係止する係止部２１が突設され、浴槽バックハンガー２の上部に設けられた嵌合溝部２２には、弾性材料から構成された目地材１の鍔状係合部１２が嵌合されている。
【００１２】
図２からよくわかるように、目地材１は、覆蓋部１１とその裏面に突設された鍔状係合部１２とからなり、鍔状係合部１２は、浴槽バックハンガー２の上部の長手方向に沿って凹設された嵌合溝部２２に横方向から嵌入し、スライドさせる。このように、単にスライドさせることによって、弾性材料から構成された長尺の目地材１を上記嵌合溝部２２に作業性よく嵌合させることができる。さらに、本実施形態においては、嵌合溝部２２の下方にパッキン溝２３が浴槽バックハンガー２の長手方向に沿って凹設されており、パッキン溝２３にゴム系紐状パッキン４充填されている。ゴム系紐状パッキン４は、目地材１による止水が不完全で、漏水があってもシール効果を発揮し、浴槽３と浴室壁面Ｗとの隙間に水が漏れることを防ぐ。
【００１３】
また、目地材１の覆蓋部１１と浴槽３のフランジ部３１との接触面、および覆蓋部１１と壁面Ｗの接触面に粘着手段を介装してもよい。例えば両面粘着テープ５を介装し、覆蓋部１１と浴槽３のフランジ部３１とを粘着させ、かつ、覆蓋部１１と壁面Ｗを粘着させることにより、浴槽３の周囲と浴室壁面Ｗとの隙間からの湯水の浸入をしっかりと防ぐことができる。上記のように構成した、浴槽目地の施工構造を図２に併せて示す。
【００１４】
もし、リフォームをする場合等においては、覆蓋部１１を両面粘着テープ５か剥離し、引っ張るだけで、嵌合溝部２２が容易に開口するため、簡単に目地材１を取外すことができる。このように、本発明にかかる浴槽目地の施工構造は施工が簡単であるとともに、その除去も容易に行なうことができる。図３は、本発明を実施した浴室の平面図である。
【００１５】
【発明の効果】
以上述べたように、請求項１に記載の発明は、浴槽３と浴室壁面Ｗとの隙間を塞ぐ目地において、目地材１と、浴室壁面Ｗに固定された浴槽バックハンガー２とからなる施工構造であって、上記目地材１は、浴槽３のフランジ部３１と上記浴室壁面Ｗとに密着する覆蓋部１１と、この覆蓋部１１裏面に突設された鍔状係合部１２とからなり、上記浴槽バックハンガー２の上部には、その長手方向に沿って上記鍔状係合部１２と嵌合する嵌合溝部２２が設けられ、上記浴槽バックハンガー２の略中央部には、その長手方向に沿って上記フランジ部３１の先端垂下部３２を係止する係止部２１が突設された浴槽目地の施工構造である。このようにすることによって、目地材１の裏面に突設された鍔状係合部１２を浴槽バックハンガー２の上部の長手方向に沿って延設された嵌合溝部２２に嵌入し、スライドさせることにより、目地材１の施工を簡単に行なうことができる。
【００１６】
請求項２に記載の発明は、上記嵌合溝部２２の下方にパッキン溝２３が設けられる。このパッキン溝２３に、例えば、ゴム系紐状パッキン４を充填することにより、請求項１に記載の発明の効果に加えて、上記目地材１による止水が不完全であっても、ゴム系紐状パッキン４によってシール効果が発揮され、浴槽３の周囲と浴室壁面Ｗとの隙間の漏水を防ぐ。
【００１７】
請求項３に記載の発明は、上記浴槽バックハンガー２が合成樹脂の押出し成形品とされる。このようにすることにより、例えば、合成樹脂としてポリ塩化ビニルを用いれば、その押出し成形品は容易に弾性変形するため、請求項１に記載の発明の効果に加えて、嵌合溝部２２に嵌合した目地材１を除去するために外力を加えれば、容易に開口し、簡単に目地材１を外すことができる。
【００１８】
請求項４に記載の発明は、上記目地材１が弾性材料から構成される。例えば、目地材１を弾性プラスチック材料、ゴム、エラストマー等で構成することにより、請求項１に記載の発明の効果に加えて、目地材１の覆蓋部１１が浴槽フランジ部と浴室壁面Ｗに密着し、優れた止水効果を得ることができる。
【００１９】
請求項５に記載の発明は、上記目地材１の覆蓋部１１がさらに浴槽周囲と浴室壁面Ｗとに粘着手段により粘着される。例えば、粘着手段として両面粘着テープを用い、上記覆蓋部１１と浴槽フランジ部３１周縁、および上記覆蓋部１１と浴室壁面Ｗとを粘着すれば、請求項１に記載の発明の効果に加えて、さらに優れた止水効果を得ることができる。
【図面の簡単な説明】
【図１】本発明にかかる浴槽目地の施工構造を示す側断面図である。
【図２】本発明にかかる浴槽目地の施工構造の要部を示す側断面図である。
【図３】本発明の浴槽目地の施工構造を実施した浴室の平面図である。
【図４】公知の目地材を用いた浴槽目地の施工構造を示す側断面図である。
【符号の説明】
１          目地材
１１        覆蓋部
１２        鍔状係合部
２          浴槽バックハンガー
２１        係止部
２２        嵌合溝部
２３        パッキン溝
３          浴槽
３１        浴槽フランジ部
３２        垂下部
４          ゴム系紐状パッキン
５          両面粘着テープ
６          挟持金具
７          公知の目地材
７１        上面覆蓋部
７２        挿入部
７３        舌片状係合部
Ｗ          浴室壁面
Ｂ          固定用ビス
【図１】
2004201748.tif 000003
【図２】
2004201748.tif 000004
【図３】
2004201748.tif 000005
【図４】
2004201748.tif 000006